(57)【要約】【課題】外観のよい照明装置を提供すること。【解決手段】照明装置１は、全体として略サークル状に繋ぎ合わされるように形成された複数の基板１００と、基準線を基準として基板１００上に設けられた複数の発光素子１１０と、を含み、基準線は、基板１００が繋ぎ合わされる周方向に沿う円周線、又は、前記円周線上に頂点を有する多角形線であり、基板１００が繋ぎ合わされる周方向に隣り合う２つの発光素子１１０を組として選択した場合に、前記組に含まれる２つの発光素子１１０が、互いに、基準線からの距離及び基準線から離間する方向の少なくとも１つが異なる前記組を有する。【選択図】図４
2014216105.tif 000002
【特許請求の範囲】
【請求項１】
全体として略サークル状に繋ぎ合わされるように形成された複数の基板と、
基準線を基準として前記基板上に設けられた複数の発光素子と、
を含み、
前記基準線は、前記基板が繋ぎ合わされる周方向に沿う円周線、又は、前記円周線上に頂点を有する多角形線であり、
前記基板が繋ぎ合わされる周方向に隣り合う２つの前記発光素子を組として選択した場合に、前記組に含まれる２つの前記発光素子が、互いに、前記基準線からの距離及び前記基準線から離間する方向の少なくとも１つが異なる前記組を有する、照明装置。
【請求項２】
請求項１に記載の照明装置において、
前記発光素子は、
前記基板が繋ぎ合わされる周方向に隣り合う前記発光素子との間隔が、前記基板の端部では大きくなり、前記基板の中心部では小さくなるようなパターンで配置されている、照明装置。
【請求項３】
請求項１又は２に記載の照明装置において、
前記基準線は、第１基準線と第２基準線とを含み、
前記第１基準線は、第１半径を有する第１円周線、又は、前記第１円周線上に頂点を有する多角形であり、
前記第２基準線は、前記第１半径より大きな第２半径を有し前記第１円周線と同一の中心を有する第２円周線、又は、前記第２円周線上に頂点を有する多角形であり、
前記第１基準線を基準として配置される前記発光素子のうち前記中心からの距離が最も遠い前記発光素子と、前記第２基準線を基準として配置される前記発光素子のうち前記中心からの距離が最も近い前記発光素子との、前記中心からの距離が略等しい、照明装置。
【請求項４】
全体として略サークル状に繋ぎ合わされるように形成された複数の基板と、
基準線を基準として前記基板上に設けられた、２つ以上の発光素子を含んで構成される複数の発光素子群と、
を含み、
前記基準線は、前記基板が繋ぎ合わされる周方向に沿う円周線、又は、前記円周線上に頂点を有する多角形線であり、
前記基板が繋ぎ合わされる周方向に隣り合う２つの前記発光素子群を組として選択した場合に、前記組に含まれる２つの前記発光素子群が、互いに、前記基準線からの距離及び前記基準線から離間する方向の少なくとも１つが異なる前記組を有する、照明装置。
【請求項５】
請求項４に記載の照明装置において、
前記発光素子群は、
前記基板が繋ぎ合わされる周方向に隣り合う前記発光素子群との間隔が、前記基板の端部では大きくなり、前記基板の中心部では小さくなるようなパターンで配置されている、照明装置。
【請求項６】
請求項４又は５に記載の照明装置において、
前記基準線は、第１基準線と第２基準線とを含み、
前記第１基準線は、第１半径を有する第１円周線、又は、前記第１円周線上に頂点を有する多角形であり、
前記第２基準線は、前記第１半径より大きな第２半径を有し前記第１円周線と同一の中心を有する第２円周線、又は、前記第２円周線上に頂点を有する多角形であり、
前記第１基準線を基準として配置される前記発光素子群のうち前記中心からの距離が最
も遠い前記発光素子群と、前記第２基準線を基準として配置される前記発光素子群のうち前記中心からの距離が最も近い前記発光素子群との、前記中心からの距離が略等しい、照明装置。
【請求項７】
請求項１ないし６のいずれか１項に記載の照明装置において、
前記発光素子は、アノードとカソードとを含み、
前記基板が繋ぎ合わされる周方向に互いに隣り合う前記発光素子は、アノードの位置とカソードの位置とが、前記基板が繋ぎ合わされる周方向に対して、左右に入れ替わる向きに配置されている、照明装置。
【請求項８】
請求項１ないし７のいずれか１項に記載の照明装置において、
前記発光素子は、
アノードとカソードとを含み、
同一の前記基板内において、前記アノードの中心と前記カソードの中心とを結ぶ直線が、平行になるように配置されている、照明装置。
【発明の詳細な説明】
【技術分野】
【０００１】
本発明は、照明装置に関する。
【背景技術】
【０００２】
ＬＥＤ（Light Emitting Diode）素子やＥＬ（light-emitting）素子などの発光素子の高出力化、高効率化及び普及化に伴い、光源としてこれらの発光素子を用いた照明装置が開発されている。
【０００３】
このような照明装置の一例として、全体として略サークル状に繋ぎ合わされるように形成された複数の基板に発光素子を配置して構成された照明装置が知られている（特許文献１）。
【先行技術文献】
【特許文献】
【０００４】
【特許文献１】特開２０１２−１５６５１２号公報
【発明の概要】
【発明が解決しようとする課題】
【０００５】
このような照明装置の市場においては、より高照度の照明装置が求められつつある。照明装置の照度を高めるために高効率のＬＥＤ素子を用いると、ＬＥＤ素子の配置パターンを使用者に看取されることになるので、外観を損ねるという問題があった。
【０００６】
本発明は、以上のような技術的課題に鑑みてなされたものである。本発明のいくつかの態様によれば、外観のよい照明装置を提供することができる。
【課題を解決するための手段】
【０００７】
［適用例１］
本適用例に係る照明装置は、全体として略サークル状に繋ぎ合わされるように形成された複数の基板と、基準線を基準として前記基板上に設けられた複数の発光素子と、を含み、前記基準線は、前記基板が繋ぎ合わされる周方向に沿う円周線、又は、前記円周線上に頂点を有する多角形線であり、前記基板が繋ぎ合わされる周方向に隣り合う２つの前記発光素子を組として選択した場合に、前記組に含まれる２つの前記発光素子が、互いに、前記基準線からの距離及び前記基準線から離間する方向の少なくとも１つが異なる前記組を有する、照明装置である。
【０００８】
本適用例によれば、基板が繋ぎ合わされる周方向に隣り合う２つの発光素子を組として選択した場合に、組に含まれる２つの発光素子が、互いに、基準線からの距離及び基準線から離間する方向の少なくとも１つが異なる組を有するので、基準線となる円周線又は多角形線が使用者に認識されにくくなる。すなわち、より均一に発光しているように使用者に認識されやすくなる。したがって、外観のよい照明装置を実現できる。
【０００９】
［適用例２］
上述の照明装置において、前記発光素子は、前記基板が繋ぎ合わされる周方向に隣り合う前記発光素子との間隔が、前記基板の端部では大きくなり、前記基板の中心部では小さくなるようなパターンで配置されていることが好ましい。
【００１０】
人間の目は、徐々に変化する明るさの変化には鈍い傾向がある。本適用例によれば、基
板が繋ぎ合わされる周方向に互いに隣り合う発光素子の間隔が、基板の端部では大きくなり、基板の中心部では小さくなるので、基板と基板との間の暗さを使用者が感じにくくなる。したがって、外観のよい照明装置を実現できる。
【００１１】
［適用例３］
上述の照明装置において、前記基準線は、第１基準線と第２基準線とを含み、前記第１基準線は、第１半径を有する第１円周線、又は、前記第１円周線上に頂点を有する多角形であり、前記第２基準線は、前記第１半径より大きな第２半径を有し前記第１円周線と同一の中心を有する第２円周線、又は、前記第２円周線上に頂点を有する多角形であり、前記第１基準線を基準として配置される前記発光素子のうち前記中心からの距離が最も遠い前記発光素子と、前記第２基準線を基準として配置される前記発光素子のうち前記中心からの距離が最も近い前記発光素子との、前記中心からの距離が略等しいことが好ましい。
【００１２】
これによって、第１基準線と第２基準線との間がより均一に発光しているように使用者に認識されやすくなる。したがって、外観のよい照明装置を実現できる。
【００１３】
［適用例４］
本適用例に係る照明装置は、全体として略サークル状に繋ぎ合わされるように形成された複数の基板と、基準線を基準として前記基板上に設けられた、２つ以上の発光素子を含んで構成される複数の発光素子群と、を含み、前記基準線は、前記基板が繋ぎ合わされる周方向に沿う円周線、又は、前記円周線上に頂点を有する多角形線であり、前記基板が繋ぎ合わされる周方向に隣り合う２つの前記発光素子群を組として選択した場合に、前記組に含まれる２つの前記発光素子群が、互いに、前記基準線からの距離及び前記基準線から離間する方向の少なくとも１つが異なる前記組を有する、照明装置である。
【００１４】
本適用例によれば、基板が繋ぎ合わされる周方向に隣り合う２つの発光素子群を組として選択した場合に、前記組に含まれる２つの前記発光素子群が、互いに、基準線からの距離及び基準線から離間する方向の少なくとも１つが異なる組を有するので、基準線となる円周線又は多角形線が使用者に認識されにくくなる。すなわち、より均一に発光しているように使用者に認識されやすくなる。したがって、外観のよい照明装置を実現できる。
【００１５】
［適用例５］
上述の照明装置において、前記発光素子群は、前記基板が繋ぎ合わされる周方向に隣り合う前記発光素子群との間隔が、前記基板の端部では大きくなり、前記基板の中心部では小さくなるようなパターンで配置されていることが好ましい。
【００１６】
人間の目は、徐々に変化する明るさの変化には鈍い傾向がある。本適用例によれば、基板が繋ぎ合わされる周方向に互いに隣り合う発光素子群の間隔が、基板の端部では大きくなり、基板の中心部では小さくなるので、基板と基板との間の暗さを使用者が感じにくくなる。したがって、外観のよい照明装置を実現できる。
【００１７】
［適用例６］
上述の照明装置において、前記基準線は、第１基準線と第２基準線とを含み、前記第１基準線は、第１半径を有する第１円周線、又は、前記第１円周線上に頂点を有する多角形であり、前記第２基準線は、前記第１半径より大きな第２半径を有し前記第１円周線と同一の中心を有する第２円周線、又は、前記第２円周線上に頂点を有する多角形であり、前記第１基準線を基準として配置される前記発光素子群のうち前記中心からの距離が最も遠い前記発光素子群と、前記第２基準線を基準として配置される前記発光素子群のうち前記中心からの距離が最も近い前記発光素子群との、前記中心からの距離が略等しいことが好ましい。
【００１８】
これによって、第１基準線と第２基準線との間がより均一に発光しているように使用者に認識されやすくなる。したがって、外観のよい照明装置を実現できる。
【００１９】
［適用例７］
上述の照明装置において、前記発光素子は、アノードとカソードとを含み、前記基板が繋ぎ合わされる周方向に互いに隣り合う前記発光素子は、アノードの位置とカソードの位置とが、前記基板が繋ぎ合わされる周方向に対して、左右に入れ替わる向きに配置されていることが好ましい。
【００２０】
発光素子はカソード側で発熱する傾向がある。本適用例によれば、基板が繋ぎ合わされる周方向に互いに隣り合う発光素子のアノードの位置とカソードの位置とが、基板が繋ぎ合わされる周方向に対して、左右に入れ替わる向きに配置されているので、発熱しやすいカソードが近接しない。したがって、放熱性の高い照明装置を実現できる。
【００２１】
［適用例８］
上述の照明装置において、前記発光素子は、アノードとカソードとを含み、同一の前記基板内において、前記アノードの中心と前記カソードの中心とを結ぶ直線が、平行になるように配置されていることが好ましい。
【００２２】
本適用例によれば、同一の基板内において、アノードの中心とカソードの中心とを結ぶ直線が、平行になるように配置されているので、様々な角度で発光素子が配置されている場合に比べて、製造効率の高い照明装置を実現できる。
【図面の簡単な説明】
【００２３】
【図１】本実施形態に係る照明装置１の外観図である。
【図２】本実施形態に係る照明装置１の分解斜視図である。
【図３】本実施形態に係る照明装置１の断面図である。
【図４】第１配置例における、キャップ１１及びカバー１２を取り外した状態を示す照明装置１の平面図である。
【図５】第１配置例における基板１００の平面図である。
【図６】発光素子１００の位置座標を説明するための模式的なグラフである。
【図７】第２配置例における基板１００の平面図である。
【発明を実施するための形態】
【００２４】
以下、本発明の好適な実施例について図面を用いて詳細に説明する。用いる図面は説明の便宜上のものである。なお、以下に説明する実施例は、特許請求の範囲に記載された本発明の内容を不当に限定するものではない。また以下で説明される構成の全てが本発明の必須構成要件であるとは限らない。
【００２５】
１．照明装置の全体構成
図１は、本実施形態に係る照明装置１の外観図である。図２は、本実施形態に係る照明装置１の分解斜視図である。図３は、本実施形態に係る照明装置１の断面図である。なお、上述の図及び後述の図を含む各図において、リード線などによる配線接続関係は省略して示している。また、発光素子の配置については「２．発光素子の配置例」の項で後述されるので、図１〜図３においては発光素子の図示を省略して示している。
【００２６】
本実施形態に係る照明装置１は、シーリングライトとして構成されているが、本発明はこれに限定されず、種々の照明装置に適用できる。
【００２７】
本実施形態に係る照明装置１は、キャップ１１、カバー１２、基板１００、電源カバー１３、電源基板１４、ベース１５、枠１６、スポンジ１７及びアダプター１８を含んで構成されている。図２に示されるように、照明装置１は、アダプター１８、スポンジ１７、枠１６、ベース１５、電源基板１４、電源カバー１３、基板１００、カバー１２、キャップ１１を順に積層するように組み合わせて構成されている。
【００２８】
キャップ１１は、カバー１２と電源カバー１３との接続部分を覆うように設けられている。また、キャップ１１は、カバー１２と接続されて設けられている。
【００２９】
カバー１２は、基板１００に設けられる発光素子の光を拡散しつつ透過するように構成され、基板１００を覆うように設けられている。本実施形態においては、カバー１２は透光性の樹脂製であり、拡散性を有するように乳白色に形成されている。カバー１２は、枠１６と接続されて構成されている。
【００３０】
基板１００は、複数の基板１００が全体として略サークル状に繋ぎ合わされるように形成されるように構成されている。本実施形態においては、照明装置１は、同一形状の８枚の基板１００を含んで構成されている。後述されるように、基板１００には複数の発光素子が設けられる。図２に示される例では、基板１００のカバー１２に近い側の面に発光素子が設けられる。基板１００上における発光素子の配置については「２．発光素子の配置例」の項で後述される。本実施形態においては、基板１００はガラスエポキシ樹脂の平板で構成され、表面に配線パターンが形成されている。基板１００は、ベース１５に接続されて設けられている。
【００３１】
電源カバー１３は、電源基板１４を覆うように設けられている。また、電源カバー１３は、カバー１２及びベース１５と接続されて設けられている。
【００３２】
電源基板１４は、発光素子に供給するための電源回路が基板上に設けられて構成されている。電源基板１４に供給される電力は、照明装置１が取付けられる天井面に設置されたシーリングボディからアダプター１８を介して供給される。電源基板１４は、ベース１５に接続されて設けられている。
【００３３】
ベース１５は、中央部に開口部が設けられたドーナツ状に構成されている。ベース１５は、鉄やアルミニウムなどの放熱性の高い金属で構成されている。これは、基板１００に設けられる発光素子が生ずる熱を速やかに放熱するためである。
【００３４】
枠１６は、リング状に構成されている。枠１６は、鉄やアルミニウムなどの放熱性の高い金属で構成されている。これは、基板１００の設けられる発光素子が生ずる熱を速やかに放熱するためである。枠１６は、カバー１２及びベース１５と接続されて設けられている。
【００３５】
スポンジ１７は、照明装置１が取付けられる天井面などとベース１５との間のクッション材として設けられている。スポンジ１７は、ベース１５と接続されて設けられている。
【００３６】
アダプター１８は、略円筒状に構成され、照明装置１が取付けられる天井面に設置されたシーリングボディと機械的及び電気的に接続される。本実施形態においては、アダプター１８は、爪部１８１及び端子１８２を含んで構成されている。アダプター１８は、爪部１８１をベース１５と係合させることによって、ベース１５と接続されて構成されている。また、アダプター１８は、端子１８２を介してシーリングボディと電気的に接続される。
【００３７】
２．発光素子の配置例
２−１．第１配置例
図４は、第１配置例における、キャップ１１及びカバー１２を取り外した状態を示す照明装置１の平面図である。図４に示されるように、第１配置例における照明装置１は、全体として略サークル状に繋ぎ合わされるように形成された複数の基板１００と、基板１００上に設けられた複数の発光素子１１０と、を含んで構成されている。第１配置例においては、照明装置１は、８枚の基板１００が繋ぎ合わされて、全体として略サークル状に構成されている。
【００３８】
発光素子１１０は、ＬＥＤ素子やＥＬ素子などの発光素子である。本実施形態においては、発光素子１１０は、ＬＥＤ素子である。また、本実施形態においては、発光素子１１０は、表面実装型のＬＥＤ素子である。なお、発光素子１１０として、砲弾型のＬＥＤ素子やＣＯＢ（Chip On Board）型のＬＥＤ素子を採用してもよい。
【００３９】
図５は、第１配置例における基板１００の平面図である。図５において、発光素子１１０の端部のうち、カソード側が黒塗り領域で表示され、アノード側が白塗り領域で表示されている。また、図５において、基準線の一例である第１基準線及び第２基準線が点線で示されている。
【００４０】
発光素子１１０は、基準線を基準として基板１００上に設けられている。基準線は、基板１００が繋ぎ合わされる周方向に沿う円周線、又は、円周線上に頂点を有する多角形線である。図５に示される例では、第１基準線及び第２基準線は、基板１００が繋ぎ合わされる周方向に沿う円周線である。基準線が多角形線である場合には、例えば、隣り合う基板１００間に頂点を有する正多角形であってもよい。すなわち、図４に示される例では、照明装置１は８枚の基板１００が繋ぎ合わされて構成されているので、基準線は正八角形であってもよい。照明装置１は、基準線を３つ以上有していてもよく、この場合には、３つ以上の基準線から任意に選択された隣り合う２つの基準線が第１基準線及び第２基準線に相当する。
【００４１】
照明装置１は、基板１００が繋ぎ合わされる周方向に隣り合う２つの発光素子１１０を組として選択した場合に、基準線からの距離及び基準線から離間する方向の少なくとも１つが異なる組を有する。「基準線から離間する方向が異なる」場合とは、基準線よりも円周線の中心に近い発光素子１１０と、基準線よりも円周線の中心に遠い発光素子１１０がある場合を表す。
【００４２】
例えば、図５に示されるように、基板１００が繋ぎ合わされる周方向に隣り合う２つの発光素子１１０−１及び発光素子１１０−２を組として選択した場合には、この組に含まれる２つの発光素子（発光素子１１０−１及び発光素子１１０−２）が、互いに、第１基準線からの距離が互いに異なる。また例えば、図５に示されるように、基板１００が繋ぎ合わされる周方向に隣り合う２つの発光素子１１０−３及び発光素子１１０−４を組として選択した場合には、この組に含まれる２つの発光素子（発光素子１１０−３及び発光素子１１０−４）が、互いに、第１基準線からの距離及び第１基準線から離間する方向が互いに異なる。
【００４３】
図６は、発光素子１１０の位置座標を説明するための模式的なグラフである。図６の横軸は、円周線の中心を基準とした角度方向の座標であり、縦軸は、円周線の中心を基準とした半径方向の座標を表す。すなわち、図６においては、円周線の中心を原点とした極座標系で表した場合の発光素子１１０の位置座標を表している。図６において、発光素子１１０の位置座標を白丸で表す。
【００４４】
図６に示されるように、本実施形態においては、発光素子１１０は、第１基準線を基準として、第１基準線からの距離及び基準線から離間する方向が周期的なパターンで変化する曲線上、及び、第１基準線からの距離及び基準線から離間する方向が周期的なパターンで変化する曲線上に配置されている。より具体的には、発光素子１１０は、第１基準線を基準とした正弦曲線上、及び、第２基準線を基準とした正弦曲線上に配置されている。
【００４５】
第１配置例によれば、基板１００が繋ぎ合わされる周方向に隣り合う２つの発光素子１１０を組として選択した場合に、選択された組に含まれる２つの発光素子１１０が、互いに、基準線からの距離及び基準線から離間する方向の少なくとも１つが異なる組を有するので、基準線となる円周線又は多角形線が使用者に認識されにくくなる。すなわち、より均一に発光しているように使用者に認識されやすくなる。したがって、外観のよい照明装置１を実現できる。
【００４６】
図５に示されるように、第１配置例において、発光素子１１０は、基板１００が繋ぎ合わされる周方向に隣り合う発光素子１１０との間隔が、基板１００の端部では大きくなり、基板１００の中心部では小さくなるようなパターンで配置されていることが好ましい。図５に示される例では、基板１００が繋ぎ合わされる周方向に並設された発光素子１１０は、基板１００の端部から中心部に向かって、互いに隣り合う発光素子１１０の間隔が単調減少するような周期的なパターンで配置されている。すなわち、図５に示される例では、基板１００が繋ぎ合わされる周方向に並設された発光素子１１０は、基板１００の端部における互いに隣り合う発光素子１１０の間隔が最も広くなり、基板１００の中心部における互いに隣り合う発光素子１１０の間隔が最も狭くなるように配置されている。本発明はこれに限定されず、隣り合う発光素子１１０との間隔が増加と減少とを繰り返すようなパターンであってもよい。
【００４７】
人間の目は、徐々に変化する明るさの変化には鈍い傾向がある。第１配置例によれば、基板１００が繋ぎ合わされる周方向に隣り合う発光素子１１０との間隔が、基板１００の端部では大きくなり、基板１００の中心部では小さくなるので、互いに隣り合う基板１００との間の暗さを使用者が感じにくくなる。したがって、外観のよい照明装置１を実現できる。
【００４８】
図５に示されるように、基準線は、第１基準線と第２基準線とを含み、第１基準線は、第１半径を有する第１円周線、又は、第１円周線上に頂点を有する多角形であり、第２基準線は、第１半径より大きな第２半径を有し第１円周線と同一の中心を有する第２円周線、又は、第２円周線上に頂点を有する多角形であり、第１基準線を基準として配置される発光素子１１０のうち第１円周線及び第２円周線の中心からの距離が最も遠い発光素子１１０と、第２基準線を基準として配置される発光素子１１０のうち第１円周線及び第２円周線の中心からの距離が最も近い発光素子１１０との、第１円周線及び第２円周線の中心からの距離が略等しく構成されていることが好ましい。
【００４９】
図５及び図６に示される例では、例えば、第１基準線を基準として配置される発光素子１１０のうち第１円周線及び第２円周線の中心からの距離が最も遠い発光素子１１０−１と、第２基準線を基準として配置される発光素子１１０のうち第１円周線及び第２円周線の中心からの距離が最も近い発光素子１１０−５とは、第１円周線及び第２円周線の中心からの距離が略等しく構成されている。
【００５０】
このような構成によって、第１基準線と第２基準線との間がより均一に発光しているように使用者に認識されやすくなる。したがって、外観のよい照明装置１を実現できる。
【００５１】
図５に示されるように、発光素子１１０は、アノード１１０ａとカソード１１０ｃとを
含み、基板１００が繋ぎ合わされる周方向に互いに隣り合う発光素子１１０は、アノード１１０ａの位置とカソード１１０ｃの位置とが、基板１００が繋ぎ合わされる周方向に対して、左右に入れ替わる向きに配置されていることが好ましい。
【００５２】
発光素子１１０はカソード１１０ｃ側で発熱する傾向がある。第１配置例によれば、発光素子１１０のアノード１１０ａの位置とカソード１１０ｃの位置とが、基板１００が繋ぎ合わされる周方向に対して、左右に入れ替わる向きに配置されているので、発熱しやすいカソード１１０ｃが近接しない。したがって、放熱性の高い照明装置１を実現できる。
【００５３】
図５に示されるように、発光素子１１０は、アノード１１０ａとカソード１１０ｃとを含み、同一の基板１００内において、アノード１１０ａの中心とカソード１１０ｃの中心とを結ぶ直線が、平行になるように配置されていることが好ましい。図５においては、アノード１１０ａの中心とカソード１１０ｃの中心とを結ぶ直線の一例が一点鎖線で表示されている。図５に示される例では、同一の基板１００内に配置されている全ての発光素子１１０において、アノード１１０ａの中心とカソード１１０ｃの中心とを結ぶ直線が、平行になるように配置されている。
【００５４】
第１配置例によれば、同一の基板１００内において、アノード１１０ａの中心とカソード１１０ｃの中心とを結ぶ直線が、平行になるように配置されているので、様々な角度で発光素子１１０が配置されている場合に比べて、製造効率の高い照明装置１を実現できる。
【００５５】
２−２．第２配置例
図７は、第２配置例における基板１００の平面図である。図７において、発光素子１１０の端部のうち、カソード側が黒塗り領域で表示され、アノード側が白塗り領域で表示されている。また、図７において、第１基準線及び第２基準線が点線で表示されている。図７に示される例でも、第１基準線及び第２基準線は、基板１００が繋ぎ合わされる周方向に沿う円周線である。第１配置例と同様に、第１基準線および第２基準線は、基板１００が繋ぎ合わされる周方向に沿う円周線上に頂点を有する多角形であってもよい。なお、第１配置例と同様の構成については同一の符号を付し、詳細な説明を省略する。
【００５６】
図４に示される第１配置例の照明装置１と同様に、図７に示される基板１００も、複数枚が繋ぎ合わされて全体として略サークル状に構成される。すなわち、第２配置例における照明装置１は、全体として略サークル状に繋ぎ合わされるように形成された複数の基板１００と、基準線を基準として基板１００上に設けられた、２つ以上の発光素子１１０を含んで構成される複数の発光素子群１１０ｇと、を含んで構成されている。第２配置例においても、照明装置１は、８枚の基板１００が繋ぎ合わされて、全体として略サークル状に構成されている。
【００５７】
図７に示される例では、発光素子群１１０ｇは、２つの発光素子１１０を含んで構成されている。発光素子群１１０ｇに含まれる２つの発光素子１１０は、互いに発光色の異なる発光素子、例えば、それぞれ昼白色の発光素子と電球色の発光素子とすることができる。図７においては、昼白色の発光素子が白塗り領域で表示され、電球色の発光素子が網かけ領域で表示されている。照明装置１は、昼白色の発光素子及び電球色の発光素子を、それぞれ単独で、又は、両者の輝度を適宜調整して混合した状態で、点灯させてもよい。これによって、昼白色から電球色までの様々な色合いの光を放射できる照明装置１を実現できる。また、図７に示される例では、発光素子群１１０ｇ内の発光素子１１０の間隔が、互いに隣り合う発光素子群１１０ｇとの間隔よりも小さい。これによって、色合いを変化させても発光位置の変化が小さい照明装置１を実現できる。
【００５８】
照明装置１は、基板１００が繋ぎ合わされる周方向に隣り合う２つの発光素子群１１０ｇを組として選択した場合に、基準線からの距離及び基準線から離間する方向の少なくとも１つが異なる組を有する。「基準線から離間する方向が異なる」場合とは、基準線よりも円周線の中心に近い発光素子群１１０ｇと、基準線よりも円周線の中心に遠い発光素子群１１０ｇがある場合を表す。
【００５９】
例えば、図７に示されるように、基板１００が繋ぎ合わされる周方向に隣り合う２つの発光素子群１１０ｇ−１及び発光素子群１１０ｇ−２を組として選択した場合には、この組に含まれる２つの発光素子群（発光素子群１１０ｇ−１及び発光素子群１１０ｇ−２）が、互いに、第１基準線からの距離が互いに異なる。また例えば、図７に示されるように、基板１００が繋ぎ合わされる周方向に隣り合う２つの発光素子群１１０ｇ−３及び発光素子群１１０ｇ−４を組として選択した場合には、この組に含まれる２つの発光素子群（発光素子群１１０ｇ−３及び発光素子群１１０ｇ−４）が、互いに、第１基準線からの距離及び第１基準線から離間する方向が互いに異なる。
【００６０】
第２配置例における発光素子群１１０ｇの配置は、図６において、発光素子１１０の位置座標を発光素子群１１０ｇの位置座標と読み替えた配置である。すなわち、第２配置例における発光素子群１１０ｇの位置座標は、図６において白丸で表される。
【００６１】
図６に示されるように、本実施形態においては、発光素子群１１０ｇは、第１基準線を基準として、第１基準線からの距離及び基準線から離間する方向が周期的なパターンで変化する曲線上、及び、第１基準線からの距離及び基準線から離間する方向が周期的なパターンで変化する曲線上に配置されている。より具体的には、発光素子群１１０ｇは、第１基準線を基準とした正弦曲線上、及び、第２基準線を基準とした正弦曲線上に配置されている。
【００６２】
第２配置例によれば、基板１００が繋ぎ合わされる周方向に隣り合う２つの発光素子群１１０ｇを組として選択した場合に、選択された組に含まれる２つの発光素子群１１０ｇが、互いに、基準線からの距離及び基準線から離間する方向の少なくとも１つが異なる組を有するので、基準線となる円周線又は多角形線が使用者に認識されにくくなる。すなわち、より均一に発光しているように使用者に認識されやすくなる。したがって、外観のよい照明装置１を実現できる。
【００６３】
図７に示されるように、第２配置例において、発光素子群１１０ｇは、基板１００が繋ぎ合わされる周方向に隣り合う発光素子群１１０ｇとの間隔が、基板１００の端部では大きくなり、基板１００の中心部では小さくなるようなパターンで配置されている。図７に示される例では、基板１００が繋ぎ合わされる周方向に並設された発光素子群１１０ｇは、基板１００の端部から中心部に向かって、互いに隣り合う発光素子群１１０ｇの間隔が単調減少するような周期的なパターンで配置されている。すなわち、図７に示される例では、基板１００が繋ぎ合わされる周方向に並設された発光素子群１１０ｇは、基板１００の端部における互いに隣り合う発光素子群１１０ｇの間隔が最も広くなり、基板１００の中心部における互いに隣り合う発光素子群１１０ｇの間隔が最も狭くなるように配置されている。本発明はこれに限定されず、隣り合う発光素子群１１０ｇとの間隔が増加と減少とを繰り返すような周期的なパターンであってもよい。
【００６４】
人間の目は、徐々に変化する明るさの変化には鈍い傾向がある。第２配置例によれば、基板１００が繋ぎ合わされる周方向に隣り合う発光素子群１１０ｇとの間隔が、基板１００の端部では大きくなり、基板１００の中心部では小さくなるので、互いに隣り合う基板１００との間の暗さを使用者が感じにくくなる。したがって、外観のよい照明装置１を実現できる。
【００６５】
図７に示されるように、基準線は、第１基準線と第２基準線とを含み、第１基準線は、第１半径を有する第１円周線、又は、第１円周線上に頂点を有する多角形であり、第２基準線は、第１半径より大きな第２半径を有し第１円周線と同一の中心を有する第２円周線、又は、第２円周線上に頂点を有する多角形であり、第１基準線を基準として配置される発光素子群１１０ｇのうち第１円周線及び第２円周線の中心からの距離が最も遠い発光素子群１１０ｇと、第２基準線を基準として配置される発光素子群１１０ｇのうち第１円周線及び第２円周線の中心からの距離が最も近い発光素子群１１０ｇとの、第１円周線及び第２円周線の中心からの距離が略等しく構成されていることが好ましい。
【００６６】
図６及び図７に示される例では、例えば、第１基準線を基準として配置される発光素子群１１０ｇのうち第１円周線及び第２円周線の中心からの距離が最も遠い発光素子群１１０ｇ−１と、第２基準線を基準として配置される発光素子群１１０ｇのうち第１円周線及び第２円周線の中心からの距離が最も近い発光素子群１１０ｇ−５とは、第１円周線及び第２円周線の中心からの距離が略等しく構成されている。
【００６７】
このような構成によって、第１基準線と第２基準線との間がより均一に発光しているように使用者に認識されやすくなる。したがって、外観のよい照明装置１を実現できる。
【００６８】
図７に示されるように、発光素子１１０は、アノード１１０ａとカソード１１０ｃとを含み、基板１００が繋ぎ合わされる周方向に互いに隣り合う発光素子１１０は、アノード１１０ａの位置とカソード１１０ｃの位置とが、基板１００が繋ぎ合わされる周方向に対して、左右に入れ替わる向きに配置されていることが好ましい。
【００６９】
発光素子１１０はカソード１１０ｃ側で発熱する傾向がある。第２配置例によれば、発光素子１１０のアノード１１０ａの位置とカソード１１０ｃの位置とが、基板１００が繋ぎ合わされる周方向に対して、左右に入れ替わる向きに配置されているので、発熱しやすいカソード１１０ｃが近接しない。したがって、放熱性の高い照明装置１を実現できる。
【００７０】
図７に示されるように、発光素子１１０は、アノード１１０ａとカソード１１０ｃとを含み、同一の基板１００内において、アノード１１０ａの中心とカソード１１０ｃの中心とを結ぶ直線が、平行になるように配置されていることが好ましい。図７においては、アノード１１０ａの中心とカソード１１０ｃの中心とを結ぶ直線の一例が一点鎖線で表示されている。図７に示される例では、同一の基板１００内に配置されている全ての発光素子１１０において、アノード１１０ａの中心とカソード１１０ｃの中心とを結ぶ直線が、平行になるように配置されている。
【００７１】
第２配置例によれば、同一の基板１００内において、アノード１１０ａの中心とカソード１１０ｃの中心とを結ぶ直線が、平行になるように配置されているので、様々な角度で発光素子１１０が配置されている場合に比べて、製造効率の高い照明装置１を実現できる。
【００７２】
以上、本実施形態あるいは変形例について説明したが、本発明はこれら本実施形態あるいは変形例に限られるものではなく、その要旨を逸脱しない範囲において種々の態様で実施することが可能である。
【００７３】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる
構成を含む。また、本発明は、実施形態で説明した構成に公知技術を付加した構成を含む。
【符号の説明】
【００７４】
１…照明装置、１１…キャップ、１２…カバー、１３…電源カバー、１４…電源基板、１５…ベース、１６…枠、１７…スポンジ、１８…アダプター、１００…基板、１１０…発光素子、１１０−１，１１０−２，１１０−３，１１０−４，１１０−５…発光素子、１１０ａ…アノード、１１０ｃ…カソード、１１０ｇ…発光素子群、１１０ｇ−１，１１０ｇ−２，１１０ｇ−３，１１０ｇ−４，１１０ｇ−５…発光素子群、１８１…爪部、１８２…端子
【図１】
2014216105.tif 000003
【図２】
2014216105.tif 000004
【図３】
2014216105.tif 000005
【図４】
2014216105.tif 000006
【図５】
2014216105.tif 000007
【図６】
2014216105.tif 000008
【図７】
2014216105.tif 000009